(57)【要約】【課題】曲げ耐力及び靭性が従来よりも改善された外殻鋼管付きコンクリート杭を提供する。【解決手段】外殻鋼管付きコンクリート杭は、外殻鋼管と、外殻鋼管の内周面に付着した状態で外殻鋼管内に配置され、コンクリートを少なくとも一部に含む中空で円筒形状の杭体と、を備え、外殻鋼管の外径をＤとし、杭体の厚さをｔｃとし、外殻鋼管の厚さをｔｓとし、杭体及び外殻鋼管の厚さの合計をＴ（＝ｔｃ＋ｔｓ）とし、径厚比をＴ／Ｄとしたとき、次式：０．２４≦Ｔ／Ｄ＜０．５で示される関係を満たし、且つ、杭体は１つの円筒部からなり、杭体の厚さｔｃは、外殻鋼管に曲げモーメントが作用した際に長手方向に直交する円筒部の断面内において６０度の頂角を有して生じる破片の剥離面全体が円筒部内に含まれる厚さである。【選択図】  図１
2018035672.tif 000002
【特許請求の範囲】
【請求項１】
外殻鋼管と、
前記外殻鋼管の内周面に付着した状態で前記外殻鋼管内に配置され、コンクリートを少なくとも一部に含む中空で円筒形状の杭体と、
を備え、
前記外殻鋼管の外径をＤとし、前記杭体の厚さをｔｃとし、前記外殻鋼管の厚さをｔｓとし、前記杭体の厚さｔｃと前記外殻鋼管の厚さｔｓとの合計をＴ（＝ｔｃ+ｔｓ）とし、径厚比をＴ／Ｄとしたとき、次式：
０．２４≦Ｔ／Ｄ＜０．５
で示される関係を満たし、
且つ、
前記杭体は１つの円筒部からなり、
前記杭体の厚さｔｃは、前記外殻鋼管に曲げモーメントが作用した際に長手方向に直交する前記円筒部の断面内において６０度の頂角を有して生じる破片の剥離面全体が前記円筒部内に含まれる厚さである
ことを特徴とする外殻鋼管付きコンクリート杭。
【請求項２】
外殻鋼管と、
前記外殻鋼管の内周面に付着した状態で前記外殻鋼管内に配置され、コンクリートを少なくとも一部に含む中空で円筒形状の杭体と、
を備え、
前記外殻鋼管の外径をＤとし、前記杭体の厚さをｔｃとし、前記外殻鋼管の厚さをｔｓとし、前記杭体の厚さｔｃと前記外殻鋼管の厚さｔｓとの合計をＴ（＝ｔｃ+ｔｓ）とし、径厚比をＴ／Ｄとしたとき、次式：
０．２４≦Ｔ／Ｄ＜０．５
で示される関係を満たし、
且つ、
前記杭体は、同心に配置された２つ以上の円筒部を含み、
前記杭体の厚さｔｃは、前記外殻鋼管に曲げモーメントが作用した際に長手方向に直交する前記２つ以上の円筒部の断面内において６０度の頂角を有して生じる破片の剥離面全体が前記２つ以上の円筒部内に含まれる厚さである
ことを特徴とする外殻鋼管付きコンクリート杭。
【請求項３】
前記２つ以上の円筒部のうち最内周に位置する最内周円筒部を構成する材料は、最外周に位置する最外周円筒部を構成する材料よりも小さい圧縮強度を有し、
前記２つ以上の円筒部の各々は３０Ｎ／ｍｍ２以上の圧縮強度を有する材料によって構成されている
ことを特徴とする請求項２に記載の外殻鋼管付きコンクリート杭。
【請求項４】
前記最内周円筒部はグラウトによって構成されている
ことを特徴とする請求項３に記載の外殻鋼管付きコンクリート杭。
【発明の詳細な説明】
【技術分野】
【０００１】
本開示は中空の外殻鋼管付きコンクリート杭に関する。
【背景技術】
【０００２】
外殻鋼管付きコンクリート杭（ＳＣ杭）は、一般的に、外殻鋼管と、外殻鋼管によって覆われた中空で円筒形状のコンクリートとによって構成されている（例えば特許文献１参照）。
【先行技術文献】
【特許文献】
【０００３】
【特許文献１】特許第５２６５４４７号公報
【発明の概要】
【発明が解決しようとする課題】
【０００４】
ＳＣ杭は、外殻鋼管を有することから、外殻鋼管を有さない通常のコンクリート杭よりも、高い曲げ耐力及び靭性を有する。しかしながら、そのようなＳＣ杭に対しても、曲げ耐力及び靭性の更なる向上が望まれている。
上述の事情に鑑みて、本発明の少なくとも一実施形態の目的は、曲げ耐力及び靭性が従来よりも改善された外殻鋼管付きコンクリート杭を提供することにある。
【課題を解決するための手段】
【０００５】
本発明者は、上記目的を達成するために種々検討を重ねた結果、外殻鋼管付きコンクリート杭が所定の径厚比を有する場合、曲げ耐力及び靭性が向上することを見出し、本発明に想到した。
（１）本発明の少なくとも一実施形態に係る外殻鋼管付きコンクリート杭は、
外殻鋼管と、
前記外殻鋼管の内周面に付着した状態で前記外殻鋼管内に配置され、コンクリートを少なくとも一部に含む中空で円筒形状の杭体と、
を備え、
前記外殻鋼管の外径をＤとし、前記杭体の厚さをｔｃとし、前記外殻鋼管の厚さをｔｓとし、前記杭体の厚さｔｃと前記外殻鋼管の厚さｔｓとの合計をＴ（＝ｔｃ+ｔｓ）とし、径厚比をＴ／Ｄとしたとき、次式：
０．２４≦Ｔ／Ｄ＜０．５
で示される関係を満たし、
且つ、
前記杭体は１つの円筒部からなり、
前記杭体の厚さｔｃは、前記外殻鋼管に曲げモーメントが作用した際に長手方向に直交する前記円筒部の断面内において６０度の頂角を有して生じる破片の剥離面全体が前記円筒部内に含まれる厚さである
ことを特徴とする。
【０００６】
上記構成（１）によれば、径厚比Ｔ／Ｄが０．５未満であって、杭体は円筒形状を有して完全には中実ではなく、径方向中央に円柱形状の空洞を有する。このため、杭体に亀裂が発生すると、杭体の一部が剥落し、外殻鋼管付きコンクリート杭の曲げ耐力及び靭性が低下する虞がある。
しかしながら、上記構成によれば、径厚比Ｔ／Ｄが０．２４以上であるので、径厚比Ｔ／Ｄが０．２４未満の場合に比べて、曲げ耐力及び靭性が向上する。
また、外殻鋼管付きコンクリート杭は中空なので、杭孔に挿入する際に生じる浮力を低減できる。さらに、中実のＳＣ杭よりも重量が軽くなることで輸送や杭施工の負担を軽減することができる。
さらに、径厚比Ｔ／Ｄが０．２４以上である場合、ＳＣ杭に曲げモーメントが作用しても、杭体での６０度破壊が抑制され、６０度の頂角を有する破片の剥離が防止される。
【０００７】
（２）本発明の少なくとも一実施形態に係る外殻鋼管付きコンクリート杭は、
外殻鋼管と、
前記外殻鋼管の内周面に付着した状態で前記外殻鋼管内に配置され、コンクリートを少なくとも一部に含む中空で円筒形状の杭体と、
を備え、
前記外殻鋼管の外径をＤとし、前記杭体の厚さをｔｃとし、前記外殻鋼管の厚さをｔｓとし、前記杭体の厚さｔｃと前記外殻鋼管の厚さｔｓとの合計をＴ（＝ｔｃ+ｔｓ）とし、径厚比をＴ／Ｄとしたとき、次式：
０．２４≦Ｔ／Ｄ＜０．５
で示される関係を満たし、
且つ、
前記杭体は、同心に配置された２つ以上の円筒部を含み、
前記杭体の厚さｔｃは、前記外殻鋼管に曲げモーメントが作用した際に長手方向に直交する前記２つ以上の円筒部の断面内において６０度の頂角を有して生じる破片の剥離面全体が前記２つ以上の円筒部内に含まれる厚さである
ことを特徴とする。
【０００８】
上記構成（２）によれば、径厚比Ｔ／Ｄが０．５未満であって、杭体は円筒形状を有して完全には中実ではなく、径方向中央に円柱形状の空洞を有する。このため、杭体に亀裂が発生すると、杭体の一部が剥落し、外殻鋼管付きコンクリート杭の曲げ耐力及び靭性が低下する虞がある。
しかしながら、上記構成によれば、径厚比Ｔ／Ｄが０．２４以上であるので、径厚比Ｔ／Ｄが０．２４未満の場合に比べて、曲げ耐力及び靭性が向上する。
また、外殻鋼管付きコンクリート杭は中空なので、杭孔に挿入する際に生じる浮力を低減できる。さらに、中実のＳＣ杭よりも重量が軽くなることで輸送や杭施工の負担を軽減することができる。
また、杭体は同心に配置された２つ以上の円筒部によって構成されているので、例えば遠心成形を用いて、最外周円筒部の成形後に最内周円筒部の成形を行うことが可能であり、杭体の成形が容易である。
さらに、径厚比Ｔ／Ｄが０．２４以上である場合、ＳＣ杭に曲げモーメントが作用しても、杭体での６０度破壊が抑制され、６０度の頂角を有する破片の剥離が防止される。
【０００９】
（３）幾つかの実施形態では、上記構成（２）において
前記２つ以上の円筒部のうち最内周に位置する最内周円筒部を構成する材料は、最外周に位置する最外周円筒部を構成する材料よりも小さい圧縮強度を有し、
前記２つ以上の円筒部の各々は３０Ｎ／ｍｍ２以上の圧縮強度を有する材料によって構成されている
ことを特徴とする。
【００１０】
上記構成（３）によれば、最内周円筒部を構成する材料が、最外周円筒部を構成する材料よりも小さい圧縮強度を有しているので、最内周円筒部の材料コストを低減することができる。
また、最外周円筒部を構成する材料の圧縮強度が最内周円筒部を構成する材料の圧縮強度よりも大きいので、最外周円筒部における亀裂の発生が抑制され、曲げ耐力及び靭性を向上させながら、コストを削減することができる。
そして、各円筒部を構成する材料は、３０Ｎ／ｍｍ２以上の圧縮強度を有しているので、円筒部の圧縮強度が不足することはなく、曲げ耐力及び靭性を確実に向上させることができる。
【００１１】
（４）幾つかの実施形態では、上記構成（３）において、
前記最内周円筒部はグラウトによって構成されている。
上記構成（４）によれば、最内周円筒部が硬化性材料であるグラウトによって構成されているので、最内周円筒部の形成が容易である。
【発明の効果】
【００１２】
本発明の少なくとも一実施形態によれば、曲げ耐力及び靭性が従来よりも改善された外殻鋼管付きコンクリート杭が提供される。
【図面の簡単な説明】
【００１３】
【図１】本発明の一実施形態に係る外殻鋼管付きコンクリート杭の概略的な縦断面図である。
【図２】図１のＩＩ−ＩＩ線に沿う概略的な断面図である。
【図３】本発明の一実施形態に係る外殻鋼管付きコンクリート杭の図２に相当する断面図である。
【図４】径厚比Ｔ／Ｄを０．２４以上に設定することによる効果を説明するための図である。
【図５】図１に示した外殻鋼管付きコンクリート杭の製造方法の一例の概略的な手順を示すフローチャートである。
【図６】図３に示した外殻鋼管付きコンクリート杭の製造方法の一例の概略的な手順を示すフローチャートである。
【図７】外殻鋼管付きコンクリート杭の試験装置の概略的な構成を外殻鋼管付きコンクリート杭とともに示す図である。
【図８】試験体への載荷ステップを示すグラフである。
【図９】実施例及び比較例における荷重と中央たわみの関係の包絡線図である。
【発明を実施するための形態】
【００１４】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００１５】
図１は、本発明の一実施形態に係る外殻鋼管付きコンクリート杭（以下、ＳＣ杭とも称する）１（１Ａ）の構成を概略的示す縦断面図である。図２は、図１中のＩＩ−ＩＩ線に沿う概略的な断面図である。図３は、本発明の他の一実施形態に係るＳＣ杭１（１Ｂ）の図２に対応する横断面図である。
図１〜図３に示したように、ＳＣ杭１（１Ａ，１Ｂ）は、外殻鋼管３と、杭体５（５Ａ，５Ｂ）とを備える。
外殻鋼管３は、円筒形状を有しており、例えば、一般用圧延鋼材によって構成されている。外殻鋼管３は、例えば、３００ｍｍ以上１５００ｍｍ以下の外径Ｄを有し、外殻鋼管３の外径Ｄは、ＳＣ杭１（１Ａ，１Ｂ）の外径に相当する。また、外殻鋼管３は、例えば、４．５ｍｍ以上２５ｍｍ以下の肉厚ｔｓを有する。
【００１６】
杭体５（５Ａ，５Ｂ）は、外殻鋼管３の内周面に付着した状態で外殻鋼管３内に配置され、コンクリートを少なくとも一部に含む。杭体５（５Ａ，５Ｂ）は、円筒形状を有し、例えば硬化性の材料を硬化させて形成され、図２及び図３に示したように、横断面でみて厚さｔｃを有する。例えば、外殻鋼管３の両端には円環形状の端板７が溶接によって取り付けられ、杭体５（５Ａ，５Ｂ）は、外殻鋼管３の軸線方向にて２つの端板７間に渡って延びている。なお、端板７が取り付けられている場合、ＳＣ杭１（１Ａ，１Ｂ）の長さＬは、端板７の外面間の長さである。ＳＣ杭１（１Ａ，１Ｂ）は、例えば、２ｍ以上１５ｍ以下の長さＬを有する。
【００１７】
ここで、ＳＣ杭１（１Ａ，１Ｂ）の厚さＴは、図２及び図３に示したように、外殻鋼管３の厚さｔｓと杭体５（５Ａ，５Ｂ）の厚さｔｃの和（ｔｓ＋ｔｃ）であり、ＳＣ杭１（１Ａ，１Ｂ）の外径Ｄと内径ｄの差の半分である。
そして、ＳＣ杭１（１Ａ，１Ｂ）にあっては、ＳＣ杭１（１Ａ，１Ｂ）の外径Ｄに対する厚さＴの比である径厚比Ｔ／Ｄ、換言すれば、外殻鋼管３の外径Ｄに対する、外殻鋼管３及び杭体５（５Ａ，５Ｂ）の厚さの合計（ｔｓ＋ｔｃ）の比である径厚比Ｔ／Ｄが、次式：
０．２４≦Ｔ／Ｄ＜０．５
で示される関係を満たしている。
【００１８】
上記構成によれば、径厚比Ｔ／Ｄが０．５未満であって、杭体５（５Ａ，５Ｂ）は円筒形状を有して完全には中実ではなく、径方向中央に円柱形状の空洞を有する。このため、杭体５（５Ａ，５Ｂ）の内周面に亀裂が発生すると、杭体５（５Ａ，５Ｂ）の内周面付近の一部が剥落し、ＳＣ杭１（１Ａ，１Ｂ）の曲げ耐力及び靭性が低下する虞がある。
しかしながら、上記構成によれば、径厚比Ｔ／Ｄが０．２４以上であるので、径厚比Ｔ／Ｄが０．２４未満の場合に比べて、曲げ耐力及び靭性が向上する。
【００１９】
ここで、図４（ａ）及び図４（ｂ）は、径厚比Ｔ／Ｄを０．２４以上に設定することによる効果を説明するための図である。
図４（ａ）に示したように、径厚比Ｔ／Ｄが０．２４未満である場合、ＳＣ杭１’に曲げモーメントが作用すると、杭体５’にて６０度破壊が生じ、６０度の頂角を有する破片１０が剥離し易いものと考えられる。
【００２０】
これに対し、図４（ｂ）に示したように、径厚比Ｔ／Ｄが０．２４以上である場合、ＳＣ杭１（１Ａ，１Ｂ）に曲げモーメントが作用しても、杭体５（５Ａ，５Ｂ）での６０度破壊が抑制され、６０度の頂角を有する破片の剥離が防止されるものと考えられる。
このように、６０度よりも大きな頂角を有するような大きい破片はもとより、６０度の頂角を有するような小さい破片の剥離が防止されることで、径厚比Ｔ／Ｄが０．２４以上である場合、径厚比Ｔ／Ｄが０．２４未満の場合に比べて、曲げ耐力及び靭性が向上するものと考えられる。
【００２１】
上記実施形態では、径厚比Ｔ／Ｄの下限は、０．２４に設定されているが、好ましくは０．２４５に設定され、より好ましくは０．２５に設定され、更により好ましくは０．２６に設定される。
【００２２】
幾つかの実施形態では、図３に示したように、杭体５Ｂは、同心に配置された２つ以上の円筒部９ａ，９ｂを含む。２つ以上の円筒部９ａ，９ｂは相互に付着している。
そして、２つ以上の円筒部９ａ，９ｂのうち最内周に位置する最内周円筒部９ａを構成する材料は、最外周に位置する最外周円筒部９ｂを構成する材料よりも小さい圧縮強度を有する。
そして更に、２つ以上の円筒部９ａ，９ｂの各々は３０Ｎ／ｍｍ２以上の圧縮強度を有する材料によって構成されている。
【００２３】
上記構成によれば、杭体５Ｂは同心に配置された２つ以上の円筒部９ａ，９ｂによって構成されているので、例えば遠心成形を用いて、最外周円筒部９ｂの成形後に最内周円筒部９ａの成形を行うことが可能であり、杭体５Ｂの成形が容易である。
また、上記構成によれば、最内周円筒部９ａを構成する材料が、最外周円筒部９ｂを構成する材料よりも小さい圧縮強度を有しているので、最内周円筒部９ａの材料コストを低減することができる。
【００２４】
上記構成によれば、最外周円筒部９ｂを構成する材料の圧縮強度が最内周円筒部９ａを構成する材料の圧縮強度よりも大きいので、最外周円筒部９ｂにおける亀裂の発生が抑制され、曲げ耐力及び靭性を向上させながら、コストを削減することができる。
【００２５】
また、上記構成によれば、各円筒部９ａ，９ｂを構成する材料は、３０Ｎ／ｍｍ２以上の圧縮強度を有しているので、円筒部９ａ，９ｂの圧縮強度が不足することはなく、曲げ耐力及び靭性を確実に向上させることができる。
なお、杭体５Ｂが複数の円筒部９ａ，９ｂによって構成されている場合、図３に示したように、杭体５Ｂの厚さｔｃは、各円筒部９ａ，９ｂの厚さｔｃ１，ｔｃ２の合計（ｔｃ１＋ｔｃ２）である。
【００２６】
幾つかの実施形態では、最外周円筒部９ｂはコンクリートによって構成され、最内周円筒部９ａはグラウトによって構成されている。グラウトは、例えばセメントペーストやモルタルである。
上記構成によれば、最内周円筒部９ａが硬化性材料であるグラウトによって構成されているので、最内周円筒部９ａの形成が容易である。また、グラウトを用いることによって、材料コストの削減を図ることができる。
【００２７】
幾つかの実施形態では、最内周円筒部９ａ及び最外周円筒部９ｂはそれぞれコンクリートによって構成され、最内周円筒部９ａは、最外周円筒部９ｂよりも小さい圧縮強度を有するコンクリートによって構成されている。
上記構成によれば、最内周円筒部９ａに、最外周円筒部９ｂよりも圧縮強度の低いコンクリートを適用することで、材料コストの低減を図ることができる。
【００２８】
なお、図３に示した杭体５Ｂのように、杭体５Ｂが２つ以上の円筒部９ａ，９ｂを含む場合、杭体Ｂの厚さＴに対する、最外周円筒部９ｂの厚さｔｃ２の比ｔｃ２／Ｔは、例えば０．４〜０．６に設定されるが、これに限定されることはない。
【００２９】
図５は、ＳＣ杭１（１Ａ）の製造方法の一例の概略的な手順を示すフローチャートである。
図５に示したように、ＳＣ杭１（１Ａ）の杭製造方法は、外殻鋼管準備工程Ｓ１と、プレキャスト工程（第１プレキャスト工程）Ｓ２と、遠心成形工程（第１遠心成形工程）Ｓ３とを備えている。
【００３０】
外殻鋼管準備工程Ｓ１では外殻鋼管３を用意する。
プレキャスト工程Ｓ２では、外殻鋼管３内に生コンクリートを充填する。この充填は外殻鋼管３内に挿入可能な径のスクリューフィーダー等によって行う。スクリューフィーダーは、ある程度生コンクリートが充填されてきた段階で、徐々に引き抜きながら生コンクリートを充填する。
【００３１】
遠心成形工程Ｓ３では、生コンクリートが充填された外殻鋼管３を遠心成形装置の型枠内に入れ、型枠の回転により生コンクリートの遠心成形を行う。
この後、生コンクリートがある程度強度を発現した段階で、外殻鋼管３を遠心成形装置の型枠から外し、蒸気養生を行うことにより円筒形状の杭体５（５Ａ）が形成される。
【００３２】
図６は、ＳＣ杭１（１Ｂ）の製造方法の一例の概略的な手順を示すフローチャートである。
図６に示したＳＣ杭１（１Ｂ）の製造方法は、第２プレキャスト工程Ｓ４及び第２遠心成形工程Ｓ５を有する点において、図５に示したＳＣ杭１（１Ａ）の製造方法と異なっている。図６に示したＳＣ杭１（１Ｂ）の製造方法によれば、第１遠心成形工程Ｓ３後に行われる第２プレキャスト工程Ｓ４にて、第１遠心成形工程Ｓ３にて成形された生コンクリートの内側に、生コンクリートが更に充填される。
【００３３】
そして、第２遠心成形工程Ｓ５では、第１遠心成形工程Ｓ３と同様にして、生コンクリートが更に充填された外殻鋼管３を遠心成形装置の型枠内に入れ、型枠の回転により生コンクリートの遠心成形を行う。
この後、第１プレキャスト工程Ｓ２及び第２プレキャスト工程Ｓ４で充填された生コンクリートがある程度強度を発現した段階で、外殻鋼管３を遠心成形装置の型枠から外し、蒸気養生を行うことにより円筒形状の杭体５（５Ｂ）が形成される。
なお、第２プレキャスト工程Ｓ４の前に、第１プレキャスト工程Ｓ２で充填された生コンクリートの強度が発現している必要は必ずしもない。
【００３４】
〔実施例〕
以下、実施例について説明する。
１．試験体の準備
まず、比較例１、２及び実施例１、２の試験体として、以下の表１〜３に示す仕様を有するＳＣ杭を用意した。
【００３５】
【表１】
2018035672.tif 000003
【表２】
2018035672.tif 000004
【表３】
2018035672.tif 000005
【００３６】
２．試験方法
試験装置２０の概要を試験体としてＳＣ杭１とともに図７に示す。試験は、単純梁方式の曲げ試験とし、一方向繰返し載荷とした。試験装置２０は、試験体としてのＳＣ杭１を支持点にて支持するための支持装置２２と、試験体の両端及び中央の変位を測定するための変位計２４と、試験体の中央部の２箇所に均等に荷重を加える荷重装置（不図示）とを備えている。
【００３７】
試験体への載荷ステップを図８に示す。部材角が２．５／１０００ｒａｄ〜５０／１０００ｒａｄの範囲では、各部材角になるまで、各試験体に対し２回繰返し載荷を行った。部材角が８０／１０００，１００／１０００ｒａｄでは、各部材角になるまで、各試験体に対し１回載荷を行った。ただし、前回部材角時の荷重を上回らない場合は、それ以降の載荷ステップを１回載荷とした。
なお、部材角は、杭中央たわみ量を支持点から載荷点中央までの距離で割った値とする。
【００３８】
３．試験結果
試験結果として、荷重と中央たわみの関係の包絡線図を図９に示し、各試験体の最大荷重と耐力比を表４に示し、各試験体の中央たわみ（残留変位）が１００ｍｍ時の荷重と耐力低下率を表５に示す。
【００３９】
【表４】
2018035672.tif 000006
【表５】
2018035672.tif 000007
【００４０】
図９及び表４から明らかなように、径厚比Ｔ／Ｄが０．２４以上の実施例１及び実施例２のＳＣ杭では、径厚比Ｔ／Ｄが０．２４未満の比較例２のＳＣ杭に比べて、大きな最大荷重が発現している。このため、実施例１及び実施例２のＳＣ杭は、比較例２のＳＣ杭に比べて、良好な耐力を有することがわかる。
一方、図９及び表５から明らかなように、径厚比Ｔ／Ｄが０．２４以上の実施例１及び実施例２のＳＣ杭では、径厚比Ｔ／Ｄが０．２４未満の比較例２のＳＣ杭に比べて、中央たわみが１００ｍｍ時の荷重が大きく、比較例２のＳＣ杭に比べて耐力低下率が低い。これより、実施例１及び実施例２のＳＣ杭は、比較例２のＳＣ杭に比べて、良好な靭性を有することがわかる。
【００４１】
特に、径厚比Ｔ／Ｄが０．３３の実施例２のＳＣ杭では、径厚比Ｔ／Ｄが０．５０の比較例１のＳＣ杭と比べても、同等の最大荷重が発現しているとともに、中央たわみ１００ｍｍ時の荷重も略同等であり、実施例２のＳＣ杭は、特に良好な耐力及び靭性を有することがわかる。
【００４２】
最後に、本発明は上述した幾つかの実施形態に限定されることはなく、上述した実施形態に変形を加えた形態や、これらの形態を適宜組み合わせた形態も含む。
例えば、最内周円筒部９ａの成形方法は、遠心成形に限定されることはなく、例えば、型枠を配置して振動詰めによって行ってもよい。
【符号の説明】
【００４３】
１（１Ａ，１Ｂ）        外殻鋼管付きコンクリート杭（ＳＣ杭）
３        外殻鋼管
５（５Ａ，５Ｂ）        杭体
７        端板
９        円筒部
９ａ      最内周円筒部
９ｂ      最外周円筒部
１０      破片
２０      試験装置
２２      支持装置
２４      変位計
【図１】
2018035672.tif 000008
【図２】
2018035672.tif 000009
【図３】
2018035672.tif 000010
【図４】
2018035672.tif 000011
【図５】
2018035672.tif 000012
【図６】
2018035672.tif 000013
【図７】
2018035672.tif 000014
【図８】
2018035672.tif 000015
【図９】
2018035672.tif 000016